(57)【要約】      （修正有）【課題】自動録画の実行を中断し、利用されていた受信リソースを、当該自動録画とは異なる機能に利用させるかどうかを、自動録画コンテンツの価値から適切に判断するコンテンツ記録再生装置を提供する。【解決手段】ユーザの明示的な指定無しにコンテンツを選定し、選定したコンテンツを受信リソースで受信し、自動録画する機能を有するコンテンツ記録再生装置１０であって、自動録画を中断した場合のユーザの損失よりも、当該自動録画とは異なる機能へ受信リソースを利用させた方がユーザの利便性が向上すると判断した場合に、当該自動録画の中断を行う自動録画制御部３０１と、将来取得可能なコンテンツ中に、当該中断コンテンツに、類似したコンテンツが存在する場合に、中断によるユーザの損失が小さいと算出するコンテンツ判定部３０３とを有する。【選択図】図１
2011259187.tif 000002
【特許請求の範囲】
【請求項１】
自動的に番組を選定受信し、録画する自動録画機能を有する記録再生装置であって、
前記自動録画機能で利用するための番組を受信するチューナと、
将来に取得可能である、前記自動録画機能で録画する番組と最も類似する番組がある場合に自動録画機能を停止することによるユーザの損失度と、前記チューナを利用する前記自動録画機能とは別の機能がある場合に別の機能を有効にすることによるユーザの有用度と、を記録する記録部と、
前記記録部で記録された有用度が損失度よりも大きい場合に、前記自動録画機能を停止し、別の機能を有効にする制御部と、
を備えることを特徴とする記録再生装置。
【請求項２】
前記チューナは、番組とともに番組情報を受信し、
前記自動録画機能で録画する番組と最も類似する番組を、前記番組情報から特定する判定部をさらに備えることを特徴とする請求項1に記載の記録再生装置。
【請求項３】
前記ユーザの損失度は、前記自動録画機能で録画する番組と最も類似する番組の類似度に基づいて決まることを特徴とする請求項1に記載の記録再生装置。
【請求項４】
前記自動録画機能とは別の機能は、選局切替え機能、番組情報取得機能、あるいは、２画面表示機能であり、
前記ユーザの有用度は、前記いずれかの機能の使用頻度に基づいて定まることを特徴とする請求項１に記載の記録再生装置。
【請求項５】
前記制御部は、前記自動録画機能の停止を実行した場合に、前記最も類似する番組を、自動録画機能の予約番組とすることを特徴とする請求項１に記載の記録再生装置。
【請求項６】
自動的に番組を選定受信し、録画する自動録画機能を有し、該自動録画機能で利用するための番組を受信するチューナを備える記録再生装置の記録再生方法であって、
将来に取得可能である、前記自動録画機能で録画する番組と最も類似する番組がある場合に自動録画機能を停止することによるユーザの損失度と、前記チューナを利用する前記自動録画機能とは別の機能がある場合に別の機能を有効にすることによるユーザの有用度と、を記録する記録するステップと、
記録された有用度が損失度よりも大きい場合に、前記自動録画機能を停止し、別の機能を有効にするステップとを有することを特徴とする記録再生方法。
【請求項７】
前記チューナは、番組とともに番組情報を受信し、
前記自動録画機能で録画する番組と最も類似する番組を、前記番組情報から特定するステップをさらに有することを特徴とする請求項６に記載の記録再生方法。
【請求項８】
前記ユーザの損失度は、前記自動録画機能で録画する番組と最も類似する番組の類似度に基づいて決まることを特徴とする請求項６に記載の記録再生方法。
【請求項９】
前記自動録画機能とは別の機能は、選局切替え機能、番組情報取得機能、あるいは、２画面表示機能であり、
前記ユーザの有用度は、前記いずれかの機能の使用頻度に基づいて定まることを特徴とする請求項６に記載の記録再生方法。
【請求項１０】
前記自動録画機能の停止を実行した場合に、前記最も類似する番組を、自動録画機能の予約番組とするステップをさらに有することを特徴とする請求項６に記載の記録再生方法。
【発明の詳細な説明】
【技術分野】
【０００１】
本発明は、受信したコンテンツを記録再生する記録再生装置及び記録再生方法に関する。
【背景技術】
【０００２】
近年、地上デジタル放送や衛星デジタル放送が開始され、これらの放送の受信装置が発売されている。
【０００３】
特許文献１では、ユーザの好む高頻度視聴番組を、確実に記録するため、選択番組履歴メモリの内容から、ある一定頻度以上視聴されている番組がある場合には、その番組を受信し、記録手段により自動録画することができる受信装置が開示されている。
【０００４】
また、特許文献２では、チャンネルの変更時ごとに選局動作を最初から再び行うことにより長い時間がかかるという課題が開示されている。この課題に対し、二つのチューナのうち、一方のチューナにより現在の視聴チャンネルを選局し、他方のチューナにより次に選局予測されるチャンネルを予め選局し、チャンネル変更する場合に、他方のチューナに切替える選局切替え機能により、選局動作を高速に行う受信装置が開示されている。
【先行技術文献】
【特許文献】
【０００５】
【特許文献１】特許第３９２５６５４号
【特許文献２】特許第３００７０６８号
【発明の概要】
【発明が解決しようとする課題】
【０００６】
ここで、上記特許文献１のような自動録画機能で用いるチューナやデコーダ（以下、受信リソースとする。）が、例えば、上記特許文献２のような選局切替え機能でも用いられる場合、選局切替え機能を有効にするためには、自動録画機能を停止しなければならず、ユーザが不利益を受ける。
【０００７】
なお、上記選局切替え機能の他の例としては、番組情報をバックグラウンドで取得する機能や、視聴中の番組とは違う番組を小さいサイズで表示する機能が挙げられる。
【課題を解決するための手段】
【０００８】
上記課題を考慮して、例えば、特許請求の範囲に記載の構成を採用する。
【発明の効果】
【０００９】
自動録画機能で用いる受信リソースが、他の機能でも用いられる場合に、自動録画機能による録画番組に類似した番組が将来取得可能であり、現在の自動録画を停止しても、ユーザにとって問題が少ない場合には、他の機能を有効にして、自動録画機能を停止することができる。
【図面の簡単な説明】
【００１０】
【図１】第1の実施形態に係るシステム全体の機能構成図である。
【図２】第1の実施形態に係る取得可能コンテンツリストの一例である。
【図３】第1の実施形態に係る代替コンテンツリストの一例である。
【図４】第1の実施形態に係る選局切替え機能の有用度の一例である。
【図５】第1の実施形態に係る自動録画停止による損失度の一例である。
【図６】第1の実施形態に係る選局切替え機能の有用度作成のフローチャートである。
【図７】第1の実施形態に係る取得可能コンテンツリスト作成のフローチャートである。
【図８】第1の実施形態に係る代替コンテンツリストへのコンテンツデータ追加のフローチャートである。
【図９】第1の実施形態に係る取得可能コンテンツリストと代替コンテンツリストの更新のフローチャートである。
【図１０】第1の実施形態に係るあるコンテンツの代替コンテンツの特定のフローチャートである。
【図１１】第1の実施形態に係る自動録画停止による損失度作成のフローチャートである。
【図１２】第1の実施形態に係る自動録画停止と選局切替え機能の有効化のフローチャートである。
【図１３】第2の実施形態に係る自動録画停止と選局切替え機能の有効化のフローチャートである。
【図１４】第3の実施形態に係るシステム全体の機能構成図である。
【図１５】第3の実施形態に係る取得可能コンテンツリスト作成のフローチャートである。
【図１６】第3の実施形態に係る取得可能コンテンツリストと代替コンテンツリストの更新のフローチャートである。
【図１７】第4の実施形態に係るシステム全体の機能構成図である。
【発明を実施するための形態】
【００１１】
以下で、本発明の実施例を説明する。ここでは、自動録画機能で用いる受信リソースが用いられる他の機能として、選局切替え機能を例にして説明する。
【００１２】
他の機能としては、ほかに、番組情報をバックグラウンドで取得する番組情報取得機能や、視聴中の番組とは違う番組を小さいサイズで表示する２画面表示機能などがある。
【実施例１】
【００１３】
図1に本実施例の機能構成図を示す。
【００１４】
本実施例では、コンテンツ記録再生装置10で、将来取得可能なコンテンツが、自動録画中のコンテンツと十分に類似しているならば、その自動録画停止によってユーザが受ける損失は小さいと判断する。(類似は同一を含み、同一のコンテンツならば損失はなしと判断する。)さらに、選局切替え機能によるユーザの有用度が上記の損失度より大きい場合に、自動録画を停止させて選局切替え機能を有効にする。
【００１５】
図1において、システム全体は、コンテンツ記録再生装置10、放送局20で構成される。
【００１６】
コンテンツ記録再生装置10は、放送局20より番組コンテンツおよび番組の放送予定とタイトルやジャンル、内容詳細などの詳細情報を記載した番組表情報とを受信するチューナ101、102と、受信した番組コンテンツをデコードするデコーダ201、202と、各種演算や制御を行う制御部300と、リモコンやキーボード、マウスなどを介してユーザ操作を受け付ける入力部400と、デコードされた映像や音声、画像、テキストデータなどを出力するための出力部500と、受信した番組コンテンツや番組表情報、制御情報などを保存する記録部600とを備える。
【００１７】
制御部300は、図1に示されるように、機能モジュールとして、自動録画制御部301と、高速切替制御部302、コンテンツ判定部303、動作モード管理部304を有する。
【００１８】
図1の自動録画制御部301は、ユーザからの番組の指定が無い場合においても、自動で番組の録画を行う。自動録画の方式として、例えば、ユーザが事前に登録したジャンルやキーワードに合致する番組を自動で録画する場合や、ユーザが頻繁に視聴する番組と類似のジャンルやキーワードを持つ番組を自動で予約録画する場合（特許文献１参照）などがあるが、全くランダムに番組を自動録画するなど、異なる方法によって自動録画されても良い。
【００１９】
さらに、自動録画制御部301は、動作モード管理部304から録画の停止を通知された場合、録画を停止する。
【００２０】
さらに、自動録画制御部301は、コンテンツ判定部303へ、自動で予約録画したコンテンツの情報を通知する。
【００２１】
図1のコンテンツ判定部303は、初回起動時に、記録部600から番組表情報を取得し、将来、取得できるコンテンツについて、詳細情報と取得可能期間を記載した取得可能コンテンツリストを作成し、記録部600へ保存する。図2に取得可能コンテンツリストの例を示す。コンテンツのIDやタイトル、取得可能期間や取得方法、詳細情報が記載されている。
【００２２】
さらに、コンテンツ判定部303は、自動録画制御部301から自動録画コンテンツの予約追加が通知されると、その予約コンテンツの録画が中止された後に、代わりに同じ様なコンテンツを取得可能かについて評価する。まず、記録部600上の取得可能コンテンツリストより、予約コンテンツの予約録画終了以降に取得することができる全てのコンテンツの詳細情報を取得する。次に、予約コンテンツの詳細情報が、お互いにどれだけ似ているかを示す指標である類似度を演算し、最大の類似度をもつコンテンツを代替コンテンツとする。そして、予約コンテンツとその代替コンテンツ、類似度を、代替コンテンツリストに追記する。図3に代替コンテンツリストの例を示す。
【００２３】
さらに、コンテンツ判定部303は、番組表情報の更新を定期的に確認し、番組表情報の更新に応じて、取得可能コンテンツリストと代替コンテンツリストを更新する。
【００２４】
図1の高速切替制御部302は、ユーザが次に切替える番組を予測し、予め受信しておき、このチャンネルへの切替えが指示された時に、予め受信していたチャンネルへ切り替えることで、番組間の高速な切替えを実現する。次に切替えられるチャンネルの予測方法の例として、リモコンのチャンネルアップボタンが押された場合に、同じ変更順序で一つ先のチャンネルを次に切替えられるチャンネルとして予測する方法(例：特許文献２)があるが、選択する頻度が高いチャンネルを次に切替えられるチャンネルとして予測する方法など、異なる方法によって予測がなされても良い。
【００２５】
さらに、高速切替制御部302は、選局切替え機能を有効にする前に、動作モード管理部304へ、選局切替え機能の有効化への許可を問い合わせる。
【００２６】
図1の動作モード管理部304は、選局切替え機能が有効になった場合のユーザの有用性向上の度合いを示す有用度と、自動録画停止によりユーザが受ける損失の度合いを示す損失度とを比較する。そして、損失度より有用度の方が大きい場合に、自動録画制御部301に通知して自動録画を停止し、高速切替制御部302に通知して選局切替え機能を有効にする。
【００２７】
さらに、動作モード管理部304は、選局切替え機能について有用度を作成する。この際、ユーザのチャンネル切替え履歴を記録部600に記録し、その履歴から時間帯ごとの平均切替え回数であるチャンネル切替え頻度を計算する。そして、切替え頻度に基づき時間帯ごとの有用度を作成し、記録部600へ保存する。また、チャンネル切替え頻度が、月日の経過によって徐々に変化するため、一週間毎や一月毎などの特定の期間をおいて、再度、有用度を計算し、記録部600に保存された有用度のデータを上書きする。
【００２８】
また、ユーザが有用度の値を設定できるようにしても良い。
【００２９】
図4に有用度の例を示す。チャンネル切替えの頻度が低い時間帯は、有用度は小さく、チャンネル切替えの頻度が高い時間帯は、有用度は大きく設定されている。これは、チャンネルがほとんど切替えられない場合、ユーザは選局切替え機能の恩恵を余り受けられないが、チャンネルの切替え頻度が高ければ、選局切替え機能を何度も利用することを考慮している。図4では、有用度の演算は単純に「チャンネル切替え頻度」×２＝「有用度」としているが、切替え頻度の範囲で演算式を変更するなど、さらに細かく設定できるようになっていても良い。また、ユーザにより明示的に設定された値がある場合は、その値を有用度として利用するようにしても良い。
【００３０】
また、動作モード管理部304は、記録部600から代替コンテンツリストを取得し、記載された類似度から、あるコンテンツの自動録画を停止した場合の損失度を演算する。ここで、代替コンテンツとして将来取得可能なコンテンツが、自動録画を停止しようとするコンテンツと十分に類似しているならば、自動録画停止によってユーザが受ける損失は小さいと想定される。このため、類似度が大きければ、逆に損失度が小さくなるような演算を採用する。このような損失度の演算の簡単な例は、１／「類似度」＝「損失度」である。演算された損失度は、記録部600へ保存する。
【００３１】
図5に損失度の例を示す。この例では、損失度は  １／「類似度」＝「損失度」として算出している。
【００３２】
次に、実施例1の動作例を説明する。
【００３３】
まず、図1の動作モード管理部304が、有用度のデータを作成する場合について、図6を元に説明する。
【００３４】
動作モード管理部304は、記録部600から番組の切替え履歴を取得し(FA01)、時間帯ごとのチャンネル切替え頻度を計算する(FA02)。次に、計算した時間帯ごとの切替え頻度から時間帯ごとの有用度を作成する(FA03)。最後に、ユーザが有用度を個別に設定していない時間帯については、作成した有用度を記録部600へ保存する(FA04)。
【００３５】
ステップFA02において、頻度計算を区切る時間帯は、例えば0時から2時間毎という形であるが、より短い区切り、より長い区切り、もしくは等間隔ではない区切りであっても良い。また、さらに曜日や祝祭日など区切りを追加しても良い。
【００３６】
次に、図1のコンテンツ判定部303が、取得可能コンテンツリストを作成する場合について、図7を元に説明する。
【００３７】
コンテンツ判定部303は、記録部600から番組表情報を取得する(FB01)。次に、将来、放送される番組を取得可能コンテンツとし、そのコンテンツの詳細情報や放送期間などから取得可能コンテンツリストを作成する(FB02)。最後に、記録部600へ保存する(FB03)。
【００３８】
次に、コンテンツ判定部303が、自動録画制御部301から自動録画予約コンテンツAの追加が通知された場合に、代替コンテンツリストへコンテンツAの項目を追加する場合について、図8を元に説明する。
【００３９】
コンテンツ判定部303は、自動録画制御部301から、自動録画予約コンテンツAの追加についての通知を受信すると(FC01)、取得可能コンテンツリストから、自動録画予約コンテンツAの代替コンテンツを特定する(FC02、図10を元に後述)。最後に、特定したコンテンツを、コンテンツAの代替コンテンツとして、代替コンテンツリストに追加する(FC03)。
【００４０】
次に、コンテンツ判定部303が、取得可能コンテンツリストと代替コンテンツリストを更新する場合について、図9を元に説明する。
【００４１】
コンテンツ判定部303は、既に取得できなくなったコンテンツのデータを、記録部600内の取得可能コンテンツリストから削除する(FD01)。さらに、既に録画を終了した自動録画コンテンツのデータを、記録部600内の代替コンテンツリストから削除する(FD02)。次に、記録部600から番組表情報を取得し(FD03)、取得した情報が、前回の更新時から変更されていなければ、更新処理を終了する(FD04:NO)。
【００４２】
ステップFD04において、前回の取得から情報が変更されている場合(FD04:YES)、変更された情報を取得可能コンテンツリストに反映し(FD05)、ステップFD04で変更されたコンテンツのデータを、取得可能コンテンツリスト(更新分)として、記録部600から取得する(FD06)。次に、代替コンテンツリストからある自動録画予約コンテンツA'を一つ選択し(FD07)、取得可能コンテンツリスト(更新分)から、コンテンツA'の代替コンテンツ(更新分)を特定する(FD08、図10を元に後述)。次に、代替コンテンツ(更新分)の類似度と、代替コンテンツリストのコンテンツA'の代替コンテンツとの類似度を比較し(FD09)、前者の方が大きい場合(FD10:YES)、代替コンテンツリストを代替コンテンツ(更新分)にて更新する(FD11)。この計算(ステップFD07、FD08、FD09、FD10、FD11)を、代替コンテンツリストの全コンテンツについて繰り返す(FD12)。
【００４３】
次に、ステップFC02およびステップFD08において、コンテンツ判定部303が、指定された取得可能コンテンツリストから、自動録画予約コンテンツAの代替コンテンツを特定する場合について、図10を元に説明する。
【００４４】
コンテンツ判定部303は、コンテンツAのタイトルや内容詳細、ジャンル、出演者などの詳細情報を記録部600から取得する(FE01)。そして、指定された取得可能コンテンツリストから、取得可能コンテンツリスト(コンテンツA用)として、コンテンツAの録画終了時間後に取得可能なコンテンツを、記録部600から取得する(FE02)。次に、取得可能コンテンツリスト(コンテンツA用)から一つを選択し(FE03)、選択したコンテンツの詳細情報とコンテンツAの詳細情報との類似度を計算する(FE04)。この計算(ステップFE03とステップFE04)を、取得可能コンテンツリスト(コンテンツA用)の全コンテンツについて繰り返し(FE05)、計算した類似度が最大となるコンテンツをコンテンツAの代替コンテンツとして特定する(FE06)。
【００４５】
ステップFE04において、類似度計算の一般的な方法として、例えば、形態素解析を利用して両者から抽出した単語に対し、TF-IDF(Term Frequency -Inverse Document Frequency)解析による各単語の重み設定が実施され、ベクトル空間法による余弦を類似度として計算する方法が知られるが、文章間の類似性を評価できる手法であれば、類似度として異なる方法を利用しても良い。
【００４６】
次に、図1の動作モード管理部304が、コンテンツ判定部303より代替コンテンツリストの更新について受信したときに、コンテンツの自動録画を停止したことで、ユーザがどれだけ損失を受けるかを示す損失度のデータを作成する場合について、図11を元に説明する。
【００４７】
動作モード管理部304は、記録部600より代替コンテンツリストを取得し(FF01)、代替コンテンツリストに記載されたコンテンツごとに、録画停止時の損失度を作成し(FF02)、記録部600に保存する(FF03)。
【００４８】
次に、動作モード管理部304が、自動録画の実行を停止させ、選局切替え機能を有効にする場合について、図12を元に説明する。
【００４９】
動作モード管理部304は、高速切替制御部302から、選局切替え機能の有効化が可能かについての問い合わせを受信すると(FG01)、自動録画が実行中では無い場合は(FG02:NO)、選局切替え機能の実行許可を返信する(FG06)。
【００５０】
一方、自動録画が実行中の場合には(FG02:YES)、記録部600から、現在の時間帯と一致する有用度のデータと、現在の自動録画コンテンツに応じた損失度のデータとを取得し(FG03)、有用度と損失度を比較する(FG04)。
【００５１】
有用度が、損失度より大きい場合(FG04:YES)、自動録画制御部301へ、自動録画の停止を通知し(FG05)、高速切替制御部302へ選局切替え機能を有効にできることを通知して、選局切替え機能を有効にする(FG06)。逆に、有用度が損失度より小さい場合(FG04:NO)、高速切替制御部302へ、選局切替え機能を有効にできないことを通知する(FG07)。  上記実施例によれば、自動録画機能によって利用される受信リソース他の機能でも利用される場合でも、現在自動録画されているコンテンツの、ユーザにとっての価値を適切に判定して、自動録画を停止させるかどうかを判定できる。
【実施例２】
【００５２】
本実施例では、停止させた自動録画番組の代わりに、代替コンテンツの録画予約を自動で行うことで、ユーザが見る自動録画コンテンツの量と質を一定に保持する場合について記載する。
【００５３】
実施例2では、実施例1に加えて、動作モード管理部304と自動録画制御部302の動作が異なる。
【００５４】
動作モード管理部304は、自動録画制御部301に対し、自動録画の停止を命じた後、この停止させたコンテンツの代替コンテンツの録画予約を依頼する。
【００５５】
自動録画制御部301は、動作モード管理部304から、代替コンテンツの録画予約依頼を受信した場合、依頼されたコンテンツの録画予約が可能であれば、代替コンテンツの録画予約を実行する。
【００５６】
次に、本実施例2の動作例を説明する。
【００５７】
本実施例では、実施例1に対して、動作モード管理部304が、自動録画を停止させ、選局切替え機能を有効にする場合の動作が異なる。この動作について、図13を元に説明する。ただし、ステップFG08、ステップFG09以外は実施例1と同じとなるため、説明を省略する。
【００５８】
動作モード管理部304は、ステップFG01からFG06の処理により、自動録画の停止を実行する。その後、記録部600の代替コンテンツリストより、ステップFG06で実行を停止させた自動録画コンテンツの代替コンテンツのデータを取得する(FG08)。そして、この代替コンテンツの録画予約を自動録画制御部302へ依頼する(FG09)。
【００５９】
本実施例によれば、受信リソースを開放するために、自動録画を停止させた場合でも、停止させたコンテンツに類似したコンテンツを再度録画でき、自動録画コンテンツの量と質を保つことが可能となる。
【実施例３】
【００６０】
実施例1は、取得可能コンテンツとしては、放送番組を前提としていたが、ネットワーク上で取得可能なコンテンツについても考慮する。
【００６１】
図14に、本実施例の機能構成図を示す。実施例1に加えて、公共ネットワーク40、ルータ50、サーバ60が追加され、また、コンテンツ記録再生装置10には、受信部800が追加されている。
【００６２】
サーバ60は、コンテンツとその詳細情報、提供期間などのメタデータを保存し、公共ネットワーク40を通じて要請があった場合には、これらを提供するものである。
【００６３】
コンテンツ記録再生装置10は、公共ネットワーク40とルータ50を経由して、サーバ60より、コンテンツやそのメタデータを取得する受信部800を備える。
【００６４】
本実施例のその他の構成は、実施例1と同様である。
【００６５】
次に、実施例3の動作例を説明する。
【００６６】
本実施例では、実施例1に対して、コンテンツ判定部303が、取得可能コンテンツリストを作成する場合と更新する場合が異なる。
【００６７】
まず、取得可能コンテンツリストを作成する場合について、図15を元に説明する。
【００６８】
図14のコンテンツ判定部303は、記録部600から番組表情報を取得する(FB01)。次に、公共ネットワーク40、ルータ50、受信部800を介して、サーバ60から取得可能なコンテンツの詳細情報や提供期間を取得する(FB04)。そして、将来、放送される番組や将来取得可能となるコンテンツを取得可能コンテンツとし、そのコンテンツの詳細情報や放送期間、提供期間などから取得可能コンテンツリストを作成し(FB02)、記録部600へ保存する(FB03)。
【００６９】
次に、コンテンツ判定部303が、取得可能コンテンツリストを更新する場合について、図16を元に説明する。
【００７０】
コンテンツ判定部303は、既に取得不可能となったコンテンツのデータを、記録部600内の取得可能コンテンツリストから削除する (FD01)。さらに、既に録画を終了した自動録画コンテンツのデータを、記録部600内の代替コンテンツリストから削除する(FD02)。次に、記録部600から番組表情報を取得し(FD03)、公共ネットワーク40、ルータ50、受信部800を介して、サーバ60から、取得可能なコンテンツの詳細情報や提供期間を取得する(FD13)。
【００７１】
以降の処理(ステップFD14)については、実施例1に示されるFE04からFE12の処理と同様である。
【００７２】
上記実施例によれば、取得可能なコンテンツとして、ネットワーク上のコンテンツも考慮することで、より正確に自動録画中断の損失度を判定することができる。
【実施例４】
【００７３】
実施例1は、放送波で送出された番組コンテンツを、チューナを使用して受信していたが、本実施例では、ネットワークを通じて番組コンテンツを受信する場合も考慮する。
【００７４】
図17に、本実施例の機能構成図を示す。
【００７５】
実施例1に対し、公共ネットワーク40とルータ50が追加されている。また、チューナ101、102が、受信部801、802に置き換えられている。
【００７６】
コンテンツ記録再生装置10は、放送局20より、ルータ50と公共ネットワーク40を経由して、番組コンテンツを受信する受信部801、802を備える。
【００７７】
受信部801、802は、放送局20との間で、それぞれ独立した通信を維持し、二つの異なる番組コンテンツを、正常にデコード出来るデータレートで受信することができる。
【００７８】
本実施例のその他の構成は、実施例1と同じである。
【００７９】
本実施例と実施例1の差異は、受信リソースについて、放送波の受信チューナから、ネットワークの受信部へ置き替わっただけであり、動作は実施例1と同様である。
【００８０】
上記実施例によれば、放送番組コンテンツが、放送波ではなく、ネットワーク経由で配信される場合でも、実施例1と同様の効果が得られる。
【符号の説明】
【００８１】
10・・・コンテンツ記録再生装置
20・・・放送局
40・・・公共ネットワーク
50・・・ルータ
60・・・サーバ
101、102・・・チューナ
201、202・・・デコーダ
300・・・制御部
301・・・自動録画制御部
302・・・高速切替制御部
303・・・コンテンツ判定部
304・・・動作モード管理部
400・・・入力部
500・・・出力部
600・・・記録部
800、801、802・・・受信部
【図１】
2011259187.tif 000003
【図２】
2011259187.tif 000004
【図３】
2011259187.tif 000005
【図４】
2011259187.tif 000006
【図５】
2011259187.tif 000007
【図６】
2011259187.tif 000008
【図７】
2011259187.tif 000009
【図８】
2011259187.tif 000010
【図９】
2011259187.tif 000011
【図１０】
2011259187.tif 000012
【図１１】
2011259187.tif 000013
【図１２】
2011259187.tif 000014
【図１３】
2011259187.tif 000015
【図１４】
2011259187.tif 000016
【図１５】
2011259187.tif 000017
【図１６】
2011259187.tif 000018
【図１７】
2011259187.tif 000019